(57)【要約】      （修正有）【課題】有機発光ダイオード（ＯＬＥＤ）のＰＷＭプリチャージのための方法を提供する。【解決手段】ＯＬＥＤの非線形ＰＷＭプリチャージの方法であって、画素に電流を提供する電流源とアノードおよびカソードを各々有する画素を含むＯＬＥＤディスプレイを提供するステップとＯＬＥＤディスプレイの画素をアドレス指定するステップとアドレス指定された画素をその照度閾値までプリチャージするステップとプリチャージに使用されるＰＷＭカウント数によって画素のプリチャージから駆動フェーズへの切り替えが行われる閾値を規定するステップと画素を所要の順方向電圧または所望のＰＷＭカウントまでプリチャージするステップとプリチャージ中に生成される光を前記画素の所望の光量に加えるステップとプリチャージ中に生成される光を含む画素の全光量が達せられるまで画素を電流で駆動するステップと選択される画素を照度閾値より下へ放電するステップとを含む。【選択図】図５
2011257751.tif 000002
【特許請求の範囲】
【請求項１】
有機発光ダイオード（ＯＬＥＤ）の非線形ＰＷＭプリチャージの方法であって、
（１）画素に要求される電流を提供する１つまたは複数の電流源と、アノードおよびカソードを各々有する画素を含むＯＬＥＤディスプレイを提供するステップと、
（２）前記ＯＬＥＤディスプレイの画素をアドレス指定するステップと、
（３）アドレス指定された画素をその照度閾値までプリチャージするステップと、
（４）プリチャージに使用されるＰＷＭカウント数によって前記画素のプリチャージから駆動フェーズへの切り替えが行われる閾値を規定するステップと、
（５）前記画素を所要の順方向電圧までまたはもし所望のＰＷＭカウントが最初に生じるならばその所望のＰＷＭカウントまでプリチャージするステップと、
（６）プリチャージ中に生成される光を前記画素の所望の光量に加えるステップと、
（７）プリチャージ中に生成される光を含む前記画素の全光量が達せられるまで前記画素を電流で駆動するステップと、
（８）選択される画素を照度閾値より下へ放電するステップと、
を含む方法。
【請求項２】
選択される前記画素を放電する前記ステップは、固定放電によって行われ、前記固定放電は、前記照度閾値より低いレベルへ行われる、請求項１に記載の方法。
【請求項３】
前記放電は、接地電圧まで行われる、請求項２に記載の方法。
【請求項４】
放電の第２のフェーズは、前記固定放電に続く、請求項２に記載の方法。
【請求項５】
放電の前記第２のフェーズは、高インピーダンス終端（ＨｉＺ）放電であり、前記ＨｉＺ放電は、電流源を前記画素のアノードから切り離して、前記アノードをフロートにする、請求項４に記載の方法。
【請求項６】
他の方法が、放電の前記第２のフェーズに使用される、請求項４に記載の方法。
【請求項７】
前記画素を駆動するための時間および駆動電流の強さは、前記画素の寿命を延ばし、要求される電力を低減するように交換される、請求項１に記載の方法。
【請求項８】
表が使用されて、前記プリチャージフェーズのためのＰＷＭクロックの可変幅を作成する、請求項１に記載の方法。
【請求項９】
前記表の各項目は、１つのＰＷＭ単位の光を生成するのに必要な時間を表す、請求項８に記載の方法。
【請求項１０】
前記プリチャージフェーズから駆動フェーズへの前記閾値は、前記表を使用して規定される、請求項８に記載の方法。
【請求項１１】
前記プリチャージのすべてのタイミングは、ＰＷＭカウントによって規定される、請求項１に記載の方法。
【請求項１２】
パラメーター化方程式が、前記プリチャージフェーズのためのＰＷＭクロックの可変幅を計算するために使用される、請求項１に記載の方法。
【請求項１３】
もし所望の輝度が、前記プリチャージフェーズ中にすでに生成されたならば、駆動電流は、前記画素を通って投入されない、請求項１に記載の方法。
【請求項１４】
駆動電流か、駆動時間、または駆動電流および駆動時間の両方は、前記プリチャージおよび駆動フェーズの両方内のＰＷＭカウントが新しい一定の輝度のレベルを表すように変更されて、前記画素の輝度を変える、請求項１に記載の方法。
【請求項１５】
前記方法は、マルチラインアドレス指定アルゴリズムを使用するＯＬＥＤディスプレイに適用される、請求項１に記載の方法。
【請求項１６】
画像は、より低い解像度のサブ画像から成る、請求項１５に記載の方法。
【請求項１７】
共通マルチラインアドレス指定が、適用される、請求項１５に記載の方法。
【請求項１８】
高度マルチラインアドレス指定が、適用される、請求項１５に記載の方法。
【請求項１９】
アノードについての一定の放電時間は、各アノードが接地電圧への完全な放電を必要とすることなく同じ電位へ放電される結果をもたらす、請求項１に記載の方法。
【請求項２０】
前記ＰＷＭカウントは、多重プレーン間で分割される、請求項１に記載の方法。
【請求項２１】
前記ＰＷＭカウントは、２つのプレーン間で分割される、請求項１に記載の方法。
【発明の詳細な説明】
【技術分野】
【０００１】
本出願は、次の米国特許出願、すなわち２００９年５月２０日に出願された、「Ｂａｃｋ−ｔｏ−Ｂａｃｋ  Ｐｒｅｃｈａｒｇｅ（連続プリチャージ）」という名称の、米国特許出願第１２／４５４６０９号、ＤＳ０８−０１３に関連し、同じ譲受人に譲渡される。この出願の内容は、その全体が参照により本明細書に組み込まれる。
（１）本発明の分野
本発明は一般に、発光ダイオード（ＬＥＤ）の分野に関し、より具体的には有機発光ダイオード（ＯＬＥＤ）のプリチャージに関する。
【背景技術】
【０００２】
（２）従来技術の記述
有機発光ダイオード（ＯＬＥＤ）表示パネルは、２つの導体間に一連の有機薄膜を置くことによって作られる電子デバイスである。有機発光ダイオード（ＯＬＥＤ）表示パネルは、広く使用されている液晶ディスプレイ（ＬＣＤ）をやがて置き換えることになる画像表示デバイスと認識されている。電流が印加されると、明るい光が、放出される。このプロセスは、電気リン光と呼ばれる。層状システムであっても、これらのシステムは、非常に薄く、通常５００ｎｍ（１ミリメートルの１０００分の０．５）未満である。ＬＥＤと同様に、ＯＬＥＤは、１００から５００ナノメートルの厚さの固体半導体デバイスである。ＯＬＥＤは、有機材料の２つの層かまたはそれより多い層を有することができる。
【０００３】
ＯＬＥＤは、ＯＬＥＤを支持する基板と、１つまたは複数の電流原によって供給される電流がデバイスを流れるとき電子を除去する（電子「ホール」を加える）アノードと、電流がデバイスを流れるとき電子を注入するカソードと、有機分子またはポリマーで作られる有機層とを含む。
【０００４】
ＯＬＥＤ表示パネルは、背後から光を当てる必要がない。これらの特性は、薄く、非常に小型のディスプレイをもたらす。その上、ＯＬＥＤ表示パネルは、より広い視野角、電力消費の低減、より低い電圧、輝度の増加、より速い応答時間、より軽い重量、より卓越した耐久性、およびより広い温度範囲などの、ＬＥＤに優るかなりの利点を有する。
【０００５】
パッシブマトリクスＯＬＥＤ（ＰＭＯＬＥＤ）、アクティブマトリクスＯＬＥＤ、透明ＯＬＥＤ、トップエミッション型ＯＬＥＤ、折り畳み可能なＯＬＥＤ、および白色ＯＬＥＤなどの、異なる種類のＯＬＥＤ表示パネルがある。
【０００６】
ＯＬＥＤ画素は、並列に静電容量を備えるダイオードを含む。画素がダイオード閾値電圧に達する前は、電流は、ダイオードを流れず、画素は、暗い。供給電流は、この期間中はコンデンサを充電するためだけに消費される。コンデンサが、ダイオードの閾値電圧より上で充電され、画素が、点灯されるまでには、かなり長い時間が、かかることもある。したがって、画素は、薄暗い可能性があり、制御するのが困難である。
【０００７】
プリチャージ駆動は、上で概説されたこれらの問題を解決する。画素電圧は、望ましいダイオード電流が短期間で達成されるレベルに設定される。プリチャージするための現在の実施は、（１）最終的な所望の画素の輝度に依存する時間にわたる固定プリチャージ電流（プリチャージ時間を駆動電流に適合させるために表が使用される）か、または（２）要求されるプリチャージ電圧をサンプリングし、その電圧を達成するのに十分な付加プリチャージ電流を供給するためのサンプルホールド回路を仮定する。
【０００８】
これらの場合の両方とも、その仮定は、プリチャージフェーズ中に生成される光が最小であり、その結果画素のグレースケール値は、もっぱら駆動フェーズのパルス幅変調（ＰＷＭ）によって決定でき、誤差は、原画像のガンマ補正内に隠すことができる。プリチャージの目的は、できるだけ早く所望の駆動電圧を達成することである。
【０００９】
実際には、かなりの光が、プリチャージフェーズ中に生成され、上記のスキームは、ガンマ補正を通じて隠すことができるだけである。マルチライン駆動シナリオ（ピーク電流を低減するために使用される技術）では、誤差をガンマ補正内に隠すことは、これが加法的でないので実用的ではなく、したがって異なる機構が、用いられるべきである。
【００１０】
次の問題が、従来技術には存在する。
１．プリチャージ中に生成される光が全光量で考慮されていないことによる画像品質。
２．誤差がガンマ補正によって隠せないマルチライン駆動シナリオで適用されるプリチャージ。
３．アノードを輝度レベル（画素閾値）のすぐ下で放電するためのアノードについての正しい放電時間。
４．接地までの完全放電を必要とすることなくアノードについての最小放電時間を達成すること。
【００１１】
ＯＬＥＤのためのプリチャージスキームに対処する解決策は、次の特許で述べられている。
米国特許（Ｃｈｕｎｇ他への米国特許第７，４０３，１７６号）は、駆動トランジスタのゲートが、ダイオードとして動作するように構成される補償トランジスタのゲートに結合される有機ＥＬ表示デバイスの画素回路を開示する。プリチャージ電圧は、駆動トランジスタのゲートに印加され、一方選択信号は、先の走査線に印加され、その結果補償トランジスタは、順方向にバイアスをかけられて、データ電圧を駆動トランジスタのゲートに印加する。ＯＬＥＤがプリチャージ電圧を使用して光を放出するのを防止するために、駆動トランジスタは、プリチャージする間は有機ＥＬ素子（ＯＬＥＤ）から電気的に絶縁されてもよい。加えて、ＯＬＥＤが光を放出するのを防止するために、駆動トランジスタは、データ電圧が充電されている間はＯＬＥＤから電気的に絶縁されてもよい。
【００１２】
米国特許（ＬｅＣｈｅｖａｌｉｅｒへの米国特許第７，１２６，５６８号）は、有機発光ダイオード（ＯＬＥＤ）／ポリマーＯＬＥＤ（ＰＬＥＤ）ディスプレイおよびプリチャージ待ち時間のある動作を提案する。詳しくは、プリチャージ切り替え待ち時間のあるそのような表示デバイスのプリチャージ動作である。その動作によると、表示素子の静電容量的側面が、プリチャージされ、表示素子は、そこを通って電流を導くように活性化される。プリチャージは、表示素子の活性化の後に停止される。次いで電流が、供給され、表示素子の露出のために表示素子を通って導かれる。この動作では、プリチャージと露出との間の移行中に生じることもあるプリチャージ垂下は、回避または最小化できる。
【００１３】
米国特許出願公開（Ｋａｎｇ他への米国特許出願公開第２００８／０２７２７１３号）は、ツェナーダイオードの代わりに内部ダイオードを使用する駆動回路および外部ツェナーダイオードを含む駆動回路を置き換えることができ、それによってコストを低減するその同じ回路を使用する放電方法を提案する。ＯＬＥＤ（有機発光ダイオード）パネルを駆動するために放電方法を使用する駆動回路であって、その駆動回路は、電流ミラースキームで構成され、放電するときにオフにされるプリチャージチャネルと、プリチャージチャネルに直列に接続され、放電するときに動作する放電チャネルと、放電チャネルに接続され、放電電圧レベルを制御する内部ダイオードとを含む。
【先行技術文献】
【特許文献】
【００１４】
【特許文献１】米国特許第７，４０３，１７６号
【特許文献２】米国特許第７，１２６，５６８号
【特許文献３】米国特許出願公開第２００８／０２７２７１３号
【発明の概要】
【発明が解決しようとする課題】
【００１５】
本発明の主目的は、ＯＬＥＤディスプレイの画像品質を改善することである。
本発明のさらなる目的は、プリチャージフェーズ中に生成される光を全光量に含めることによってＯＬＥＤディスプレイの画像品質を改善することである。
【００１６】
本発明のさらなる目的は、プリチャージフェーズ中に生成される光をマルチラインアルゴリズム（ＭＬＡ）を使用するマルチライン駆動シナリオに含めることである。
本発明のさらなる目的は、アノードをＯＬＥＤ画素の輝度レベルのすぐ下で放電する、アノードについての一定の放電時間を達成することである。
【００１７】
さらに本発明の目的は、各アノードが接地までの完全放電を必要とすることなく同じ電位へ放電されることを達成することである。
【課題を解決するための手段】
【００１８】
この発明の目的に従って、有機発光ダイオード（ＯＬＥＤ）の非線形ＰＷＭプリチャージの方法が、達成された。本発明の方法は初めに、（１）必要に応じて画素に電流を提供する１つまたは複数の電流源ならびにアノードおよびカソードを各々有する画素を含むＯＬＥＤディスプレイを提供するステップと、（２）ＯＬＥＤディスプレイの画素をアドレス指定するステップと、（３）アドレス指定された画素をそれの照度閾値までプリチャージするステップとを含む。その方法はさらに、（４）プリチャージに使用されるＰＷＭカウント数によって画素のプリチャージから駆動フェーズへの切り替えが行われる閾値を規定するステップと、（５）画素を所要の順方向電圧までまたはもしそれが最初に生じるならば所望のＰＷＭカウントまでプリチャージするステップと、（６）プリチャージ中に生成される光を画素の所望の光量に加えるステップとを含む。最後にその方法は、（７）プリチャージ中に生成される光を含む画素の全光量が達せられるまで画素を電流で駆動するステップと、（８）選択される画素を照度閾値より下まで放電するステップとを含む。
【００１９】
この記述の実質的部分を形成する添付の図面では、以下が示される。
【図面の簡単な説明】
【００２０】
【図１】ＯＬＥＤ画素の理想的プリチャージのケースを例示する図である。
【図２】現実的プリチャージのケースを例示する図である。
【図３】光度に対する駆動ＰＷＭカウントの関係を例示する図である。
【図４】異なるプリチャージのケースについてのデータの分割を例示する図である。
【図５】本発明のＰＷＭプリチャージを例示する図である。
【図６】図６ａは、本発明のプリチャージおよび駆動フェーズの異なる組合せを例示する図である。図６ｂは、本発明のプリチャージおよび駆動フェーズの異なる組合せを例示する図である。図６ｃは、本発明のプリチャージおよび駆動フェーズの異なる組合せを例示する図である。
【図７】要求される駆動電流量に依存するＰＷＭプリチャージの継続時間の変化を示す図である。
【図８】ＰＷＭプリチャージ表の例を示す図である。
【図９】ＯＬＥＤの非線形ＰＷＭプリチャージの方法の流れ図を例示する図である。
【発明を実施するための形態】
【００２１】
好ましい実施形態は、画像品質を改善する有機発光ダイオード（ＯＬＥＤ）画素のパルス幅変調（ＰＷＭ）プリチャージを達成するための方法を開示する。あらゆる種類のパッシブマトリクス有機発光ダイオード（ＰＭＯＬＥＤ）は、繰り返しプリチャージおよび放電サイクルを有するので、本発明は、これらに適用可能である。
【００２２】
理想的なケースでは、ＯＬＥＤ画素は、所与の駆動電流について正しい順方向電圧までプリチャージされ、正しい画素の輝度を与えるためにそれを適切な時間にわたって駆動し、ＯＬＥＤを瞬時に放電することになる。要求される順方向電圧は、図１で示されるように駆動電流とともに変化することになる。
【００２３】
本発明の方法は、例えば２００９年５月２０日に出願された、「Ｂａｃｋ−ｔｏ−Ｂａｃｋ  Ｐｒｅｃｈａｒｇｅ（連続プリチャージ）」という名称の、米国特許出願第１２／４５４６０９号、ＤＳ０８−０１３で開示されるようなＰＭＯＬＥＤシステムに適用されることもあり得る。
【００２４】
図１は、ＯＬＥＤ画素の理想的プリチャージのケースを例示する。その図は、２つの理想的ケースを示す。ＯＬＥＤ画素を駆動するために１００μＡを必要とする第１のケース１０および画素を駆動するために４０μＡを必要とする第２のケース１１である。各ケースについて、要求されるプリチャージ電流は、エリア１２によってまたは対応するエリア１３によって示される。
【００２５】
しかしながら、ドライバーによって供給され、ディスプレイに投入されることが両方とも可能な電流量は、限られている。実際には２つの選択があり、図２で示されるように（１）ディスプレイを完全にプリチャージし、プリチャージフェーズでかなりの光を有するか、または（２）ディスプレイを不十分にプリチャージし、ガンマ補正表で補償するかである。
【００２６】
図２は、現実的プリチャージのケースを例示する。完全にプリチャージされるケース２０および２１では、ただしケース２０では１００μＡの駆動電流が必要とされ、ケース２１では４０μＡの駆動電流が要求されるが、プリチャージ２２または対応する２３は、正しい、完全な電圧まで行われ、それ故にこのプリチャージは、放出される輝度（輝度のオフセット）を増やす。
【００２７】
不十分にプリチャージされるケース２４および２５では、ただしケース２４でもまた１００μＡの駆動電流が必要とされ、ケース２５では４０μＡの駆動電流が要求されるが、プリチャージ２６または対応する２７は、低減され、それ故にそれは、輝度に寄与しない。したがって、駆動電流は、寄生容量に失われ、輝度は、低下する（輝度対ＰＷＭは非線形）。
【００２８】
プリチャージは、図３で示されるように、光（輝度）とＰＷＭ駆動時間との間の関係にかなりの影響を有することに留意すべきである。
図３は、光度に対する駆動ＰＷＭカウントの関係を例示する。曲線３０は、図１の理想的ケースに対応する理想的ケースを描写する。曲線３１は、完全にプリチャージされるケースに基づく輝度とＰＷＭカウントとの間の関係を示し、曲線３２は、不十分にプリチャージされるケースに基づく輝度とＰＷＭカウントとの間の関係を示す。
【００２９】
従来のＰＭＯＬＥＤドライバーは、照度ポイントまで充電し、次いでガンマ補正内の逆曲線を含めることによって曲線を「真っすぐにする」ことによって不十分なプリチャージ曲線に従う。これは２つの不都合を有し、（１）それは、ディスプレイのダイナミックレンジを低減し、（２）それは、ディスプレイの寄生容量を駆動電流で克服しようとするので、ディスプレイの輝度を減少させ、その駆動電流は、プリチャージ電流よりも低く、したがって所望の輝度に達するのに、より多くの時間を必要とする。
【００３０】
本発明は、例えば共通マルチラインアドレス指定（ＣＭＬＡ）または高度マルチラインアドレス指定（ＡＭＬＡ）などのマルチラインアドレス指定（ＭＬＡ）スキームに適用されることもあり得ることに留意すべきである。マルチライン駆動シナリオでは、原画像は、多数のより低い解像度の画像に分解され、その結果より低い解像度の画像は、原画像よりも少ない時間で駆動でき、時間が、節約されて、ディスプレイのより低い電流、より低い電力、およびより長い寿命をもたらす。その分解プロセスは、画素が所与の光度についてＰＷＭカウントの観点から加法的であることを仮定する。このように、もし画素が、１００のＰＷＭカウント数を有するならば、その画素は、ＰＷＭカウント数１０および９０、または５０および５０、または６０および４０の２つの画像として駆動でき、光度は、同じとなる。ＰＷＭの光度への変換で導入されるどんな誤差もまた、加法的となり、したがってこの種の誤差は小さいかまたは存在しないことが、重要である。
【００３１】
図４は、異なるプリチャージのケースについてのデータの分割を例示する。例えば、６０のＰＷＭカウントは、２０に４０を加えるように２つのプレーン（例えば、Ｍ＆Ｓプレーン）間で分割された。線４０の理想的線形ケースでは、４０ＰＷＭケースおよび２０ＰＷＭケースが、結合して、元の６０ＰＷＭカウントと同じ光度４０＋２０＝６０を与える。線４１の完全に／過度にプリチャージされるケースでは、プリチャージフェーズ中の追加の光は、９４のＰＷＭカウントに等しい結合光度５８＋３６＝９４をもたらすが（すなわち、理想的ケースよりも３４だけ高い）、一方線４２の不十分にプリチャージされるケースでは、２２のＰＷＭカウントに等しい結合光度１７＋５＝２２が、見られる（すなわち、理想的ケースよりも３８低い）。
【００３２】
本発明の重要事項は、プリチャージ段階内のＰＷＭカウントを含めること、およびプリチャージ段階を２つの別個のフェーズ、（１）照度ポイントまでプリチャージし、次いで（２）所要の順方向電圧まで、またはもしそれが最初に生じるならば所望のＰＷＭカウントまでプリチャージするフェーズに分割することを含む。これは、図５で例示される。
【００３３】
図５は、本発明のＰＷＭプリチャージを例示する。本発明のＰＷＭプリチャージは、２つのフェーズを有する。プリチャージフェーズ１は、ＯＬＥＤを照度ポイント（照度閾値）まで充電するために使用される。いったん照度ポイントが達せられると、光が生成され、フェーズ２が、開始される。プリチャージ電流の一部分は、光を生成するために使用され、プリチャージ電流の別の部分は、ＯＬＥＤを充電するために使用されるので、この第２のプリチャージフェーズ中に生成される光は、時間に正比例しない。例えば、光の最初のＰＷＭ単位に達するのにかかる時間は、ＰＷＭポイント２に達するのにかかる時間よりも長い。いったん所望の順方向電圧が、達せられると、駆動フェーズに切り替えられる。駆動フェーズ中に生成される光は、時間に正比例し、一定の光度の各エリアは、同じ時間周期を有する。例えば、図５で示されるポイント８と９との間のデルタ時間は、ポイント９と１０との間のデルタ時間と同一である。また例えば、ポイント１と２との間のエリアおよびポイント８と９との間のエリアは、一定の光度（ＰＷＭカウント）のエリアである。
【００３４】
小さなＰＷＭカウントについては、すべての所望の光は、すでにプリチャージフェーズ中に生成されるので、駆動フェーズには、決して入らないと思われる。これは、図６ａ〜ｃで例示される。
【００３５】
図６ａ〜ｃは、本発明のプリチャージおよび駆動フェーズの異なる組合せを例示する。図６ａ〜ｃはまた、ＯＬＥＤが完全に接地までではなく照度ポイントより下まで放電されることを可能にする高インピーダンス終端（ＨｉＺ）が後に続く固定放電の使用も例示し、図５で示されるようなプリチャージのフェーズ１期間が、低減されるまたは除去されることを可能にし、それ故に電力を節約する。
【００３６】
ＨｉＺ放電は、例えば最小放電または接地電圧を上回る電圧への放電などの放電に使用される他の可能な方法の１つにすぎないことに留意すべきである。ＨｉＺ放電は、単に電流源をアノードから切り離して、アノードをフロートにする（またはＨｉＺの状態に入る）。カソードはそのとき、放電電圧（通常はＧＮＤ）に接続される。
【００３７】
固定放電は、照明電圧より低い電圧へ行われる。この電圧は、接地電圧（ＧＮＤ）より高い電圧のこともあり得るが、ＧＮＤが最も低コストの解決策であるので、ＧＮＤとなる可能性が最も高い。
【００３８】
図６ａ〜ｃは、すべてＨｉＺフェーズから始まる３つのケースを示す。図６ａ〜ｃで示されるＨｉＺフェーズは、先のラインの終わりを示すことに留意すべきである。ＨｉＺフェーズは、もちろんラインの終わりに来る。
【００３９】
図６ａは、ＨＩＺ期間から始まり、その後に駆動フェーズに要求される順方向電圧が達せられるまでＰＷＭプリチャージフェーズが続いて、図５で述べられるように、所望の光の一部分もまた生成し、次が駆動フェーズであって、所望の光の残りを生成し、その後に放電の第１のフェーズ、すなわちＯＬＥＤ静電容量の固定放電および放電の第２のフェーズ、すなわちＨｉＺ放電が続いて、完全に接地までではなく照度ポイントより下で放電する、ＯＬＥＤ画素サイクルを例示する。
【００４０】
図６ｂは、ＨＩＺ期間から始まり、その後にＰＷＭプリチャージフェーズが続いて、小さなＰＷＭカウントのためにＰＷＭプリチャージフェーズ中にすべての所望の光を生成する、小さなＰＷＭカウントを有するＯＬＥＤ画素サイクルを例示する。したがって、駆動フェーズは、この場合には必要とされない。図６ａの場合より短いこともあるＰＷＭプリチャージの直後に、固定放電および次いでＨｉＺ期間が、続く。実際は、放電は固定放電期間によって完全に制御される。Ｈｉ−Ｚ期間中は、ＯＬＥＤは、もはや放電していない。各画素についてのＨｉＺ時間（ａ〜ｃによって例示されるような）は、その結果異なってもよく、行で最も明るい画素の画素駆動時間の終わりまで時間がかかることになる。
【００４１】
図６ｃは、高量の光が生成されなければならず、したがって長い駆動フェーズを有し、その後にＲＯＷ選択フェーズの終わりまで固定放電が続く、ＯＬＥＤ画素サイクルを例示する。
【００４２】
ＰＷＭプリチャージから駆動フェーズへの移行が行われるポイントは、固定されない。このポイントは次に、ＯＬＥＤの動作順方向電圧を決定するので、そのポイントは、駆動電流量に依存する。したがって、所望の全光量へのプリチャージの寄与は、提案される駆動電流によって変化することになる。これは、図７で示される。
【００４３】
図７は、要求される駆動電流量に依存するＰＷＭプリチャージの継続時間の変化を示す。図７での時点Ｔ１は、ＰＷＭプリチャージから公称駆動電流への移行を例示し、Ｔ２は、ＰＷＭプリチャージから公称駆動電流より低い方への移行を例示し、Ｔ３は、ＰＷＭプリチャージから公称駆動電流より高い方への移行を例示する。
【００４４】
本発明の方法の実施の１つの可能な方法は、プリチャージ充電フェーズのための可変幅ＰＷＭクロックを作成するために表を使用することである。別の可能な方法は、パラメーター化方程式を使用するオンザフライでの可変ＰＷＭクロックの計算であろう。
【００４５】
そのような表の例は、図８で示される。表の各項目は、１つのＰＷＭ単位の光を生成するのに必要な時間を表す。したがって、表の各項目は、ＰＷＭカウントを表すので、ＰＷＭ値によってプリチャージから駆動へ切り替える閾値値を規定することが、可能である（この閾値値は、例えば図７でのＴ１、Ｔ２またはＴ３でのＰＷＭ値となる）。すべてのタイミングは今では、ＰＷＭカウントによって規定され、それ故にプリチャージ中に生成される光を全光量に自動的に収容する。もし単一の閾値値が、十分な解像度を提供しないならば、そのときは小数値が、精度を向上させるために使用されてもよい。
【００４６】
図７では、駆動時間および電流は、同じ輝度で寿命を延ばし、電力を低減するように交換され、その結果各ＰＷＭカウントは、一定で、明瞭に規定される輝度の単位を表すと仮定された。駆動電流か、駆動時間、または駆動電流および駆動時間の両方が、プリチャージおよび駆動フェーズの両方内のＰＷＭカウントが新しい一定の輝度レベルを表すように変更されて、輝度を変えることもまた可能である。
【００４７】
図９は、ＯＬＥＤの非線形ＰＷＭプリチャージの方法の流れ図を例示する。最初のステップ９０は、要求に応じて画素に電流を提供する１つまたは複数の電流源ならびにアノードおよびカソードを各々有する画素を含むＯＬＥＤディスプレイの提供を述べる。ステップ９１は、ＯＬＥＤディスプレイの画素をアドレス指定するステップを例示する。ステップ９２は、アドレス指定された画素をそれの照度閾値までプリチャージするステップを描写する。ステップ９３は、プリチャージに使用されるＰＷＭカウント数によって画素のプリチャージから駆動フェーズへの切り替えが行われる閾値を規定するステップを述べる。ステップ９４では、画素は、所要の順方向電圧までまたはもしそれが最初に生じるならば所望のＰＷＭカウントまでプリチャージされる。ステップ９５では、プリチャージ中に生成される光は、画素の所望の全光量に加えられる。ステップ９６は、プリチャージ中に生成される光を含む画素の全光量が達せられるまで画素を電流で駆動するステップを述べ、ステップ９７は、画素を照度閾値より下で放電するステップを例示する。
【００４８】
本明細書で述べられる非線形ＰＷＭ期間を含む本発明の好ましい実施形態の概念はまた、電圧駆動スキームまたは固定電流駆動スキームに拡張されることもあり得る。
図９で述べられる方法は、マルチラインアルゴリズム（ＭＬＡ）を使用するＯＬＥＤディスプレイに好都合に適用されることもあり得ることに留意すべきである。
【００４９】
要約すると、次の改善が、本発明によって得られる。
・画像品質は、プリチャージフェーズ中に生成される光を全光量に含めることによって改善される。
【００５０】
・本発明の方法は、画像がより低い解像度のサブ画像から成るマルチラインアルゴリズム（ＭＬＡ）に特に有益である。サブ画像は、一緒に合計されて、完全な画像を形成し、そのため駆動フェーズ中に生成される光がプリチャージ中に生成される光と同程度である低レベルのグレースケール成分をしばしば有することになる。
【００５１】
・アノードを輝度レベルのすぐ下で放電する、アノードについての一定の放電時間は、次の駆動フェーズのためのプリチャージ要件を低減することによって電力を節約する。
・アノードについての一定の放電時間は、各画素が接地への完全な放電を必要とすることなく同じ電位へ放電される結果をもたらすことになり、最小値への所要の放電時間を低減し、それ故に駆動時間が最大化されることを可能にする。従来は、すべてのアノードは、次のフェーズの開始時にアノードに残されている、異なる大きさの残留電位に起因する人為的影響を防止するために接地へ完全に放電されなければならない。
【００５２】
本発明は、それの好ましい実施形態を参照して詳しく示され、述べられたが、形および詳細のさまざまな変更が、本発明の精神および範囲から逸脱することなくなされてもよいことは、当業者には理解されよう。
【図１】
2011257751.tif 000003
【図２】
2011257751.tif 000004
【図３】
2011257751.tif 000005
【図４】
2011257751.tif 000006
【図５】
2011257751.tif 000007
【図６】
2011257751.tif 000008
【図７】
2011257751.tif 000009
【図８】
2011257751.tif 000010
【図９】
2011257751.tif 000011
【外国語明細書】
2011257751000001.pdf